(57)【要約】      （修正有）【課題】メモ用紙、フィギュア等の玩具および小物を入れる容器としての用途・機能を併せ持つ立体物を、接着剤やテープ等の接合手段を用いることなく一枚のシートのみから簡単に製作することのできる組立式立体物を提供する。【解決手段】ネズミの胴体が描かれた第１シート片２０と、ネズミの頭部と臀部とが描かれた２つの第２シート片３０、４０と、この２つの第２シート片３０、４０の両側から延在する一対の第３のシート片５０ａ、ｂ、および６０ａ、ｂとから形成された一枚のシート１０の一面にメモを記した後、第２シート片、ならびに第３シート片を全て内側に折り込んでから第１シート片を内側に丸めて両端部を接続することでネズミの外観を呈しかつ全面が閉じた俵状を呈する中空の立体物を組み立てる。【選択図】図２
0003197897.tif 000002
【実用新案登録請求の範囲】
【請求項１】
一枚のシートを折り曲げることで中空部を有した立体物に組み立てることのできる組立式立体物であって、前記一枚のシートは、帯状を呈する第１シート片と、この第１シート片の両側の対称の位置に設けられた２つの第２シート片と、この２つの第２シート片のそれぞれの両側にあって前記第１シート片と平行に延在する一対の小片からなる第３のシート片とから形成され、前記第１シート片の両端部には組立時に舌状に形成される一方が他方に挿入して係合し合う２つの切り込みが設けられ、前記第３シート片には組立時に互いに係合し合う１本の切れ目がそれぞれ設けられていることを特徴とする組立式立体物。
【請求項２】
組立後に外表面を構成する前記第１シート片の一面にキャラクターの胴体が描かれ、
前記２つの第２シート片の一方の一面に前記キャラクターの頭部が他方の一面に臀部がそれぞれ描かれていることを特徴とする請求項１に記載の組立式立体物。
【請求項３】
組立後に内表面を構成する前記シートの一面にメモ欄が表記されていることを特徴とする請求項１および２のいずれかに記載の組立式立体物。
【請求項４】
前記２つの第２シート片は、前記第１シート片の同一または異なる端部に設けられていることを特徴とする請求項１ないし請求項３のいずれかに記載の組立式立体物。
【請求項５】
前記２つの第２シート片の一方または両方の上部に突出部が設けられていることを特徴とする請求項１ないし請求項４のいずれかに記載の組立式立体物。
【考案の詳細な説明】
【技術分野】
【０００１】
本考案は、メモ用紙、玩具および菓子等の小物を入れる容器として使用することのできる組立式立体物に関するものである。
【背景技術】
【０００２】
一枚の紙を折り曲げまたは結ぶなどして立体的形状に組み立てるメモ用紙に関する先行技術が存在する（特許文献１参照）。この先行技術は、メモの内容を読み忘れないように使用者に対して注意を喚起し、またはメモ用紙の紛失を防ぐことを目的とする。また、一枚の紙を折り曲げるなどして特定のキャラクターの立体形状を簡単に組み立てることのできる組立式ペーパーフィギュア等の玩具も広く流通している。
【先行技術文献】
【特許文献】
【０００３】
【特許文献１】実用新案登録第３１９２８５０号公報
【考案の概要】
【考案が解決しようとする課題】
【０００４】
前記先行技術は、前記目的に特化したものであってこれら以外の用途・機能を特に有しない。また、前記組立式ペーパーフィギュア等の玩具も装飾品としての用途・機能を有するに留まりこれ以外の用途・機能を有するものではない。
【０００５】
本願考案が解決しようとする課題は、メモ用紙としての用途・機能とフィギュア等の玩具としての用途・機能の他に、キャンディ等の小物を入れる容器としての用途・機能を併せ持つ多用途・多機能な立体物を、接着剤やテープ等の接合手段を用いることなく一枚のシートのみから簡単に製作することができる組立式の立体物として提供することにある。
【課題を解決するための手段】
【０００６】
前記目的を達成するために本考案は、一枚のシートを折り曲げることで中空部を有した立体物に組み立てることのできる組立式立体物であって、前記一枚のシートは、帯状を呈する第１シート片と、この第１シート片の両側に対称の位置に設けられた２つの第２シート片と、この２つの第２シート片のそれぞれの両側にあって前記第１シート片と平行に延在する一対の小片からなる第３のシート片とから形成され、前記第１シート片の両端部には組立時に舌状に形成される一方が他方に挿入して係合し合う２つの切り込みが設けられ、前記第３シート片には組立時に互いに係合し合う１本の切れ目がそれぞれ設けられていることを特徴とするものである。
【０００７】
前記２つの第２シート片を前記第１シート片に対して同一方向に起立させた後、前記一対の小片からなる第３シート片を各々内側へ折り曲げると互いに重なり合う２組の第３シート片が形成される。これら２組の第３シート片においてそれぞれに前記切れ目を係合させると２組の連結部が形成される。この２組の連結部を覆うように前記第１シート片を前記第２シート片の外縁に沿って丸めた後、前記２つの切り込みを係合させると、全面が閉じた俵状を呈する中空の立体物が組み上がる。この中空の組立式立体物は、組立前のシート状態においてメモを書き込む用紙としての用途・機能を有し、また、前記２つの第２シート片の形状が、例えば特定のキャラクターの頭部および臀部を模した形状を呈している場合には、組立後にフィギュア等の玩具としての用途・機能を備える。前記組立式立体物は俵状を呈していることから俵積み状に積み上げることもできる。また、前記組立式立体物は、中空で全面が閉じており、かつ前記２つの切れ込みの係合は容易に解除する事ができることから、開閉自在なキャンディ等の小物を入れる容器としての用途・機能も備える。
【０００８】
また、本考案は、前記特徴に加え、組立後に外表面を構成する前記第１シート片の一面にキャラクターの胴体が描かれ、前記２つの第２シート片の一方の一面に前記キャラクターの頭部が他方の一面に臀部がそれぞれ描かれていることを特徴とする。
【０００９】
前記組立式立体物の外表面にキャラクターの頭部、胴部、臀部が描かれていることで、フィギュア等の玩具としての用途・機能がより高められ、積み上げて遊ぶこともでき、さらに積み上げ方によっては装飾性がより高められる。
【００１０】
また、本考案は、前記特徴に加え、組立後に内表面を構成する前記シートの一面にメモ欄が表記されていることを特徴とする。
【００１１】
前記メモ欄が表記されていることで、メモ用紙としての用途・機能がより高められる。
【００１２】
また本考案は、前記特徴に加え、前記２つの第２シート片が、前記第１シート片の同一または異なる端部にそれぞれ設けられていることを特徴とする。
【００１３】
前記２つの第２シート片は、前記第１シート片の同一の端部に設けられている場合には、前記第１シート片の幅方向中央線に対して線対称の位置関係にあり、前記第１シート片の異なる端部に設けられている場合には、前記第１シート片の中心に対して点対称の位置関係にある。
【００１４】
前記第１シート片の端部に前記２つの第２シート片が一体に設けられていることで、組立時に第１シート片の両端部が係合する位置、すなわち前記２つの切れ込みが係合する位置の近傍に、前記２つの第２シート片が接続する部分も配置されることになる。この結果、組立後の立体物の重心が前記第１シート片の両端部が係合する位置の近傍に来ることになり、当該係合部を下にして積み上げて遊ぶのに好適な立体物が形成される。
【００１５】
また本考案は、前記特徴に加え、前記２つの第２シート片の一方または両方の上部に突出部が設けられていることを特徴とする。
【００１６】
前記突出部が、上方に積み重なる組立式立体物を固定するための係止部として機能することで、積み上げやすい組立式立体物が実現される。
【考案の効果】
【００１７】
本願に係る組立式立体物によれば、前述したように、シート状態における内表面または外表面にメモを書き込む用紙として利用することができる。ここで本願に係る組立式立体物は全面が閉じた中空の立体物であることから、内表面に書き込まれたメモについては秘匿性を保持することができる。さらに、内表面にメモ欄を表記することでメモ用紙としての用途・機能が高められる。
【００１８】
また、外観が特定のキャラクターの形を呈している場合には、フィギュア等の玩具として利用することができる。本願に係る組立式立体物は、俵状を呈した形状をしていることで上方に積み重ねることができ、これによって遊戯性および装飾性がより高められる。さらに、外表面に特定のキャラクター等を描くことで、玩具としての用途・機能が高められる。
【００１９】
また、全面が閉じた俵状を呈する中空の容器として利用することができる。
【図面の簡単な説明】
【００２０】
【図１】図１は、本考案の一実施の形態における組立時の斜視図である。
【図２】図２は、本考案の一実施の形態における組立前の平面図である。
【図３】図３は、本考案の一実施の形態における組立前の底面図である。
【図４】図４は、本考案の一実施の形態における組立態様を示した図である。
【図５】図５は、本考案の一実施の形態における使用態様を示した図である。
【考案を実施するための形態】
【００２１】
以下、本考案の一実施の形態を、図１ないし５に基づいて説明する。説明内の上下左右の位置関係は、説明に用いる図面に基づいて定めるものとする。
【００２２】
図１において、符号１で示される組立式立体物は、図２に示すシート１０を、図３および図４に示す手順によって立体的に組み立てたものである。この組立式立体物１は、表面にネズミの顔が描かれかつ一対の耳Ｅが外側に突出した頭部Ｈと、俵状を呈した胴体Ｂと、しっぽＳが外側に突出した臀部Ｔとから構成されている。前記胴体Ｂに相当する部分は、後述する第１シート片２０によって構成され、前記頭部Ｈおよび臀部Ｔに相当する部分は、後述する２つの第２シート片（頭部第２シート片３０および臀部第２シート片４０）によってそれぞれ構成されている。
【００２３】
はじめに、組立前のシート１０の形態について、図２に基づいて説明する。前記シート１０は、例えば薄い工作用紙からなり、図２に示すように、帯状を呈する第１シート片２０と、この第１シート片２０の右上端部に一体に形成された頭部第２シート片３０と、第１シート片２０の右下端部に一体に形成された臀部第２シート片４０と、頭部第２シート片３０の外縁から突設された一対の頭部第３シート片５０と、臀部第２シート片４０の外縁から一体に突設された一対の臀部第３シート片６０とから形成されている。
【００２４】
前記第１シート片２０は、前述したように、ネズミを模した組立式立体物１の胴体Ｂを構成する部位であって、その大きさは幅略３５mm長さ略１２５mmであり、組立後に外表面を構成する面（以下、単に表面という）には、ネズミの胴体を模した絵柄（図示せず）が描かれている。図２に示すように、当該第１シート片２０の右端部には切り込み２１が、左端部には切り込み２２がそれぞれ設けられている。切り込み２１は、帯状を呈する前記第１シート片２０を縦断するように上下に伸びる直線として形成されている。一方前記切り込み２２は、舌状を呈した挿入片２２aの外縁を構成するようにＵの字を左向きに寝かした形状に形成されている。これにより舌状を呈した挿入片２２aが、舌先を切り込み２１に向けて形成される。詳細については後述するが、組立時に当該挿入片２２aが前記切り込み２１に挿入することで双方が係合し、第１シート片２０が俵状を呈した形に形成される構造となっている。
【００２５】
前述したように、図２における前記第１シート片２０の右上端部に一体に形成された前記頭部第２シート片３０は、図２に示すように、その外縁が例えばネズミの頭部を模した形をしており、直径が略３０ｍｍの円を基本形状とし、前記耳Ｅを形成する一対の突起片３１が斜め上方に向かって一体に突設され、表面にはネズミの顔を模した絵柄が描かれている。一方、図２における前記第１シート片２０の右下端部に一体に形成された臀部第２シート片４０は、例えばネズミの臀部を模した略円形状を呈しており、直径が略３０ｍｍの円を基本形状とし、しっぽＳを形成する突起片４１が下方に向かって一体に突設され、表面にはネズミの臀部を模した絵柄が描かれている。
【００２６】
また、前述したように、頭部第２シート片３０の外縁の左右両側には、図２に示すように、前記第１シート片１０と平行に延在する一対の小片からなる頭部第３シート片５０（図２における右側を５０ａ、左側を５０ｂとする）が一体に延設され、同じく臀部第２シート片４０の外縁の左右両側には、前記第１シート片１０と平行に延在する一対の小片からなる臀部第３シート片６０（図２における右側を６０ａ、左側を６０ｂとする）が一体に延設されている。これら頭部第３シート片５０ａおよび５０ｂならびに臀部第３シート片６０ａおよび６０ｂは、いずれも幅略１０mm長さ略２８mmの帯状を呈しており、それぞれに１本の切れ目７０が設けられている。この計４本の切れ目７０は、いずれも図２における上方に開口端を備え、頭部第３シート片５０および臀部第３シート片６０の幅の略半分に相当する長さを有している。詳細については後述するが、これら切れ目７０が互いに係合することで、前記起立した頭部第２シート片３０と前記臀部第２シート片４０とが前記頭部第３シート片５０および臀部第３シート片６０を介して連結される構造となっている。
【００２７】
さらに、本実施の形態では、図３に示すように、組立後に内表面を形成する第１シート片２０の一方の面に、３本の罫線からなるメモ欄２３が表記されている。
【００２８】
次に、図３および図４に基づいてシート１０から組立式立体物１を組み立てる手順について説明する。おおよその組立手順は、図３において、折り曲げ基線Ｌ１およびＬ２がいずれも谷折れとなるように、頭部第２シート片３０および臀部第２シート片４０、ならびに頭部第３シート片５０および臀部第３シート片６０を全て内側に折り込んだ後、図４に示すように、切れ目７０を係合させることで頭部第３シート片５０と臀部第３シート片６０とを連結し、さらに第１シート片２０を内側に巻くようにして丸めた後に切り欠き２１と２２とを係合させることで第１シート片２０の両端部を接続するというものである。
【００２９】
より詳細に説明すると、使用者は、頭部第２シート片３０を、ネズミの頭部Ｈが外側に向いて第１シート２０から起立するように、基線Ｌ１に沿って図３の矢印Ａ１の向きに折り曲げる。同様に、臀部第２シート片４０を、臀部Ｔが外側に向いて第１シート２０から起立するように、基線Ｌ１に沿って図３の矢印Ａ２の向きに折り曲げる。これによって頭部第２シート片３０と臀部第２シート片４０とは互いに対向（背向）して起立する。
【００３０】
その後、前記頭部第２シート片３０の両側に延設された一対の頭部第３シート片５０ａおよび５０ｂを、前記起立した臀部第２シート片４０に向け基線Ｌ２に沿って図３の矢印Ｂ１および矢印Ｂ２の向きに折り曲げる。同様に、前記臀部第２シート片４０の両側に延設された一対の臀部第３シート片６０ａおよび６０ｂを、前記起立した頭部第２シート片３０に向け基線Ｌ２に沿って図３の矢印Ｃ１および矢印Ｃ２の向きに折り曲げる。この結果、頭部第３シート片５０ａと臀部第３シート片６０ａ、および頭部第３シート片５０ｂと臀部第３シート片６０ｂとがそれぞれ重なり合う。当該重なり合った２組の頭部第３シート片５０および臀部第３シート片６０がそれぞれ備える切れ目７０を、図４のＤで示す向きに係合させることで、２組の帯状を呈する連結部が形成される。当該２組の連結部を介して前記対向して起立する頭部第２シート片３０と臀部第２シート片４０とが連結される。なお、当該連結部は、組立後の組立式立体物１における左右両側に配置されることになり、組立式立体物１の剛性を確保しつつ上下方向には撓み易すい構造を実現している。これにより、安定した状態で積み上げることを可能にしている。
【００３１】
その後、この２組の連結部を覆うように、第１シート片２０を、図４の矢印Ｅで示す向きに前記起立状態にある頭部第２シート片３０および臀部第２シート片４０の外縁に沿わせながら丸め、前記切り込み２２に形成されている舌状を呈する挿入片２２aを前記切り込み２１に挿入させることで双方を係合させる。ここで、舌状を呈した挿入片２２aは、シート１０の状態において、その先端が切り込み２１に向けて内側に向いて形成されているため、第１シート片２０が丸められることで生じるシート１０自身の復元力が前記係合を強める向きに作用する。この結果、第１シート片２０の両端部は確実に係止される。
【００３２】
以上の組立手順により、図１に示すようなネズミの外観を呈する中空かつ俵状の組立式立体物１が組み上がる。
【００３３】
最後に、本実施の形態による組立式立体物１の使用態様について説明する。使用者は、組立前のシート１０の一面に表記された前記メモ欄２３内に所定の内容のメモを書き記す。メモ欄２３は組立後に内表面を形成する一面に設けられているため、組立式立体物１の状態にあっては第三者から安易にメモの内容を見られる事態が回避され、秘匿性を保持するのに好適である。秘匿性を特に要しないメモの内容については、組立後に外表面を形成する面、すなわちメモ欄２３が表記されている反対側の面に書き記してもよい。また、当該反対側の面に模様や彩色等を施すことで組立式立体物１の外表面を装飾して遊んでもよい。
【００３４】
メモを書き記した後、シート１０を、前述した手順で組立式立体物１に組み立てる。当該組立式立体物１は、所定のキャラクターの外観を呈しており（本実施の形態ではネズミの外観を呈している）、ペーパーフィギュアとして机の上に飾ることもできる。さらに組立式立体物１は、全体が俵状を呈していることから、図５に示すように、俵積み状に複数の組立式立体物１を積み重ねることもできる。これによって、装飾性だけでなく遊技性も兼ね備えた組立式立体物１が提供される。また、本実施の形態では、前記頭部第２シート片３０および臀部第２シート片４０に突設された突起片３１および４１から形成されるネズミの耳ＥおよびしっぽＳが、上部に積み重ねられる他の組立式立体物１が落下することを防止する係止片として機能するため、安定した積み重ねが可能になる。
【００３５】
さらに、本願考案に係る組立式立体物１は、中空かつ全面が閉ざされていることからキャンディ等の小物を入れる容器としても活用することができる。中の小物の取り出しは、前記切り込み２１から舌状を呈した前記挿入片２２aを引き出して第１シート片２０の両端部の係合を解除するだけで容易に行うことができる。当該係合とその解除を行うにあたって前記係合部位にはさほど大きな負荷が掛からないことから、紙からなる組立式立体物１であっても繰り返し使用することができる。
【符号の説明】
【００３６】
１…組立式立体物、１０…シート、２０…第１シート片、２１…切り込み、２２…切り込み、２２a…挿入片、３０…頭部第２シート片、４０…臀部第２シート片、５０…頭部第３シート片、６０…臀部第３シート片、７０…切れ目。
【図１】
0003197897.tif 000003
【図２】
0003197897.tif 000004
【図３】
0003197897.tif 000005
【図４】
0003197897.tif 000006
【図５】
0003197897.tif 000007